(57)【要約】【課題】  内側にゴミ袋を装着可能に構成されたゴミを投入するためのゴミ箱であって、損傷しにくいゴミ箱を提供する。【解決手段】  可撓性を有する部材で構成されており、両端が開放された筒状に形成された、内側にゴミ袋２を装着可能に構成された本体部１０と、本体部１０に複数取り付けられた棒状の芯部材２０とを備える。芯部材２０は、本体部１０をその軸方向が上下方向となるように配置した状態で、本体部１０の軸方向に直交する方向から見たときに本体部１０の一端部から他端部まで上下方向に延びる。【選択図】  図１
2019127352.tif 000002
【特許請求の範囲】
【請求項１】
可撓性を有する部材で構成されており、両端が開放された筒状に形成され、内側にゴミ袋を装着可能に構成された本体部と、
前記本体部に複数取り付けられており、前記本体部をその軸方向が上下方向となるように配置した状態で、前記軸方向に直交する方向から見たときに前記本体部の一端部から他端部まで上下方向に延びる棒状の芯部材と、
を備えていることを特徴とするゴミ箱。
【請求項２】
前記本体部の周方向に関する前記複数の芯部材の間隔は、前記軸方向に関する前記本体部の長さの２／３以下、より好ましくは、１／２以下であることを特徴とする請求項１に記載のゴミ箱。
【請求項３】
前記本体部は、可撓性を有するシート状部材で形成されており、
前記シート状部材は、前記シート状部材を平らに広げた状態において前記本体部の周方向に関して互いに離隔するように配置された第１部分と第２部分とを分離及び結合可能に構成された分離結合手段を備えており、
前記分離結合手段は、前記第１部分と前記第２部分とが合わさるように前記シート状部材を筒状に丸めた状態において、前記第１部分と前記第２部分とを結合することを特徴とする請求項１又は２に記載のゴミ箱。
【請求項４】
前記第１部分と前記第２部分との少なくともいずれかは、前記本体部の周方向に関して互いに離隔して複数設けられていることを特徴とする請求項３に記載のゴミ箱。
【請求項５】
前記分離結合手段は、前記第１部分及び前記第２部分にそれぞれ配置されるループ状布及びフック状布からなる面ファスナーであることを特徴とする請求項３又は４項に記載のゴミ箱。
【請求項６】
前記ループ状布及び前記フック状布の少なくともいずれかは、前記本体部の周方向に関して長尺であることを特徴とする請求項５に記載のゴミ箱。
【請求項７】
前記第１部分及び前記第２部分は、少なくとも一部が前記本体部における前記芯部材に重なるように配置されることを特徴とする請求項３〜５のいずれか１項に記載のゴミ箱。
【請求項８】
その軸方向が筒状に形成された前記本体部の軸方向に沿うように、前記本体部を棒状に巻回した状態で巻き止める巻止手段をさらに備えていることを特徴とする請求項１〜７のいずれか１項に記載のゴミ箱。
【請求項９】
前記巻止手段は、一端部が前記本体部に取り付けられ、棒状に巻回された前記本体部の外周面に巻き付け可能に構成された帯状部材であることを特徴とする請求項８に記載のゴミ箱。
【請求項１０】
前記シート状部材は、前記シート状部材を平らに広げた状態において前記本体部の周方向に関して前記第１部分と離隔するように配置された第３部分をさらに有し、
前記第１部分が、前記本体部の周方向の一端部に設けられており、
前記第１部分と、前記シート状部材をその軸方向が筒状に形成された前記本体部の軸方向に沿うように棒状に巻回した状態で前記第１部分と対向する前記第３部分とを分離及び結合可能に構成された巻止手段をさらに備えていることを特徴とする請求項３〜７のいずれか１項に記載のゴミ箱。
【請求項１１】
前記本体部を構成する部材は、透視性を有していることを特徴とする請求項１〜１０のいずれか１項に記載のゴミ箱。
【請求項１２】
前記本体部を構成する部材は、網目状であることを特徴とする請求項１１に記載のゴミ箱。
【請求項１３】
工場又は倉庫で使用されるものであることを特徴とする請求項１〜１２のいずれか１項に記載のゴミ箱。
【発明の詳細な説明】
【技術分野】
【０００１】
本発明は、内側にゴミ袋を装着可能に構成されたゴミを投入するためのゴミ箱に関する。
【背景技術】
【０００２】
一般に工場や倉庫において用いられるゴミ箱は、プラスチックや金属などの硬質な材料で構成されている。例えば、特許文献１には、工場で使用される屑入であって本体部分が金網で構成されたものが開示されている。また、空いた金属製のドラム缶をゴミ箱として使用することもある。
【先行技術文献】
【特許文献】
【０００３】
特開平０７−０９７００２号公報
【発明の概要】
【発明が解決しようとする課題】
【０００４】
工場や倉庫においては、重量物を運搬するためのフォークリフトが走行している。したがって、走行するフォークリフトの爪が硬質な材料で構成されたゴミ箱に接触し、ゴミ箱に傷や凹み等の損傷が生じるという問題がある。尚、このような問題は、工場や倉庫以外で用いられる硬質な材料で構成されたゴミ箱でも生じる可能性がある。
【０００５】
本発明は、上記のような課題を解決するものであり、内側にゴミ袋を装着可能に構成されたゴミを投入するためのゴミ箱であって、損傷しにくいゴミ箱を提供することを目的とする。
【課題を解決するための手段】
【０００６】
本発明のゴミ箱は、可撓性を有する部材で構成されており、両端が開放された筒状に形成され、内側にゴミ袋を装着可能に構成された本体部と、前記本体部に複数取り付けられており、前記本体部をその軸方向が上下方向となるように配置した状態で、前記軸方向に直交する方向から見たときに前記本体部の一端部から他端部まで上下方向に延びる棒状の芯部材と、を備えていることを特徴とする。
【０００７】
この構成によると、本体部が可撓性を有する部材で構成されているので、フォークリフトの爪等の何かと接触したとしても撓むのみで、傷や凹み等の損傷を受けにくい。また、本体部に棒状の芯部材が複数取り付けられているので、本体部はその軸方向を上下方向とした状態で自立できる。したがって、筒状の本体部の内側にゴミ袋を装着してゴミ箱として使用することができる。尚、本体部の上端部は、本体部の上端とその近傍を含む。また、本体部の下端部は、本体部の下端とその近傍を含む。
【０００８】
また、本発明のゴミ箱において、前記本体部の周方向に関する前記複数の芯部材の間隔は、前記軸方向に関する前記本体部の長さの２／３以下、より好ましくは、１／２以下であることが好ましい。
【０００９】
この構成によると、芯部材の間隔が上記以外の場合と比較して、本体部に取り付けられる芯部材の数が多くなる。そして、本体部を確実に自立させることができる。
【００１０】
また、本発明のゴミ箱において、前記本体部は、可撓性を有するシート状部材で形成されており、前記シート状部材は、前記シート状部材を平らに広げた状態において前記本体部の周方向に関して互いに離隔するように配置された第１部分と第２部分とを分離及び結合可能に構成された分離結合手段を備えており、前記分離結合手段は、前記第１部分と前記第２部分とが合わさるように前記シート状部材を筒状に丸めた状態において、前記第１部分と前記第２部分とを結合してもよい。
【００１１】
この構成によると、本体部が可撓性を有するシート状部材で形成されているので、ゴミ箱として使用しないときには、シート状部材を平らに広げた状態でゴミ箱を保管できる。または、本体部が可撓性を有するシート状部材で形成されているので、ゴミ箱として使用しないときには、シート状部材を小さく丸めて棒状に巻回した状態でゴミ箱を保管できる。したがって、省スペースで保管できる。
【００１２】
加えて、本発明のゴミ箱において、前記第１部分と前記第２部分との少なくともいずれかは、前記本体部の周方向に関して互いに離隔して複数設けられていることが好ましい。
【００１３】
この構成によると、複数設けられた第１部分または第２部分のいずれを選択するかよって、本体部の周方向に関して分離結合手段によって結合される位置が変更されて、ゴミ箱の大きさを変更することができる。よって、ゴミの量やゴミ箱の設置スペースの大きさに合わせてゴミ箱の大きさを変更することが可能となる。
【００１４】
さらに、本発明のゴミ箱において、前記分離結合手段は、前記第１部分及び前記第２部分にそれぞれ配置されるループ状布及びフック状布からなる面ファスナーである。
【００１５】
この構成によると、分離結合手段による第１部分と第２部分との結合／分離の作業が容易である。
【００１６】
加えて、本発明のゴミ箱において、前記ループ状布及び前記フック状布の少なくともいずれかは、前記本体部の周方向に関して長尺であってもよい。
【００１７】
この構成によると、本体部の周方向に関して分離結合手段による結合位置を自由に変更することでゴミ箱の大きさを自在に変更することができる。よって、ゴミの量やゴミ箱の設置スペースの大きさに合わせてゴミ箱の大きさを自在に変更することが可能となる。
【００１８】
また、本発明のゴミ箱において、前記第１部分及び前記第２部分は、少なくとも一部が前記本体部における前記芯部材に重なるように配置されることが好ましい。
【００１９】
この構成によると、芯部材が配置されている部分でシート状部材を結合することができるので、ゴミ箱の強度を高めることができる。
【００２０】
また、本発明のゴミ箱において、その軸方向が筒状に形成された前記本体部の軸方向に沿うように、前記本体部を棒状に巻回した状態で巻き止める巻止手段をさらに備えていてもよい。
【００２１】
本発明のゴミ箱は、本体部が可撓性を有する部材で構成されているので、その軸方向が筒状に形成された本体部の軸方向に沿うように本体部を棒状に巻回することが可能である。上記構成によると、本体部を棒状に巻回した状態で巻き止めできるので、ゴミ箱として使用しないときに棒状にして省スペースで保管できると共に、本体部が棒状に巻回した状態から開いてしまうことを抑制することができる。
【００２２】
加えて、本発明のゴミ箱において、前記巻止手段は、一端部が前記本体部に取り付けられ、棒状に巻回された前記本体部の外周面に巻き付け可能に構成された帯状部材であってもよい。
【００２３】
この構成によると、容易な構成で棒状に巻回された本体部を巻き止めできる。
【００２４】
さらに、本発明のゴミ箱において、前記シート状部材は、前記シート状部材を平らに広げた状態において前記本体部の周方向に関して前記第１部分と離隔するように配置された第３部分をさらに有し、前記第１部分が、前記本体部の周方向の一端部に設けられており、前記第１部分と、前記シート状部材をその軸方向が筒状に形成された前記本体部の軸方向に沿うように棒状に巻回した状態で前記第１部分と対向する第３部分とを分離及び結合可能に構成された巻止手段をさらに備えてもよい。
【００２５】
この構成によると、本体部を棒状に巻回した状態で巻き止めできるので、ゴミ箱として使用しないときに、棒状にして保管できる。したがって、保管スペースの形状等に合わせて、シート状部材を平らに広げて保管するか、小さく丸めて棒状に巻回して保管するかを選択できる。また、分離結合手段の一部が、シート状部材を巻き止めする巻止手段を兼ねている。そのため、本体部を形成する際の分離結合手段と巻止手段とを別々に備える場合に比べてコストを低下させることができる。
【００２６】
さらに、本発明のゴミ箱において、前記本体部を構成する部材は、透視性を有していることが好ましい。
【００２７】
この構成によると、外からゴミ箱に投入されているゴミの内容や量を確認することができる。
【００２８】
また、本発明のゴミ箱において、前記本体部を構成する部材は、網目状であることが好ましい。
【００２９】
この構成によると、ゴミ箱を軽量化できる。
【００３０】
また、本発明のゴミ箱は、工場又は倉庫で使用されるものであることが好ましい。
【００３１】
本発明のゴミ箱は本体部が可撓性を有する部材で構成されているので、工場や倉庫において走行するフォークリフトの爪が接触したとしても損傷しにくい。したがって、工場や倉庫で使用することが好適である。
【発明の効果】
【００３２】
以上の説明に述べたように、本発明によれば、本体部が可撓性を有する部材で構成されているので、フォークリフトの爪等の何かと接触したとしても撓むのみで、傷や凹み等の損傷を受けにくい。また、本体部に棒状の芯部材が複数取り付けられているので、本体部はその軸方向を上下方向とした状態で自立できる。したがって、筒状の本体部の内側にゴミ袋を装着してゴミ箱として使用することができる。
【図面の簡単な説明】
【００３３】
【図１】本実施形態のゴミ箱を示す図であり、（ａ）はゴミ袋をかけていない状態、（ｂ）はゴミ袋をかけた状態を示す。
【図２】図１に示すゴミ箱を展開した状態を示す。
【図３】図２に示すシート状部材を棒状に巻回した状態を示す。
【図４】本実施形態の第１変形例にかかるシート状部材を示す図である。
【図５】本実施形態の第２変形例にかかるシート状部材を示す図である。
【図６】本実施形態の第３変形例を示す図であり、（ａ）はシート状部材、（ｂ）はゴミ箱を示す。
【発明を実施するための最良の形態】
【００３４】
以下、図面を参照しつつ、本発明の実施形態を説明する。
本実施形態にかかるゴミ箱１は、工場や倉庫において用いられるものである。ゴミ箱１は、図１（ａ）に示すように、両端が開放された円筒形状の本体部１０と、本体部１０に取り付けられた芯部材２０とで構成されている。ゴミ箱１を使用する際には、図１（ｂ）に示すように、本体部１０の内側にゴミ袋２が装着される。
【００３５】
本体部１０は、図２に示すような長方形のシート状部材１２を筒状に丸めることで形成されている。シート状部材１２には、面ファスナー１４を構成するループ状布１４ａとフック状布１４ｂとが取り付けられている。以下の説明において、シート状部材１２の長手方向（図２の左右方向）を「第１方向」とする。また、シート状部材１２の短手方向（図２の上下方向）を「第２方向」とする。本実施形態においては、第１方向は本発明の本体部１０の周方向に相当し、第２方向は本発明の本体部１０の軸方向に相当する。シート状部材１２を第２方向が軸方向となるように筒状に丸めて面ファスナー１４で固定することで、筒状の本体部１０が形成される。なお、本実施形態のゴミ箱１は、ゴミ箱として使用しないときには、シート状部材１２を第２方向が軸方向となるように棒状に巻回しておくことが可能である。シート状部材１２の第２方向の両端縁は、パイピングテープ１３によりパイピングされている。
【００３６】
本実施形態においては、シート状部材１２は糸で編み込まれた網で構成されており、可撓性を有している。シート状部材１２を構成する材料は、天然繊維や化学繊維でできた布、メッシュシートなど、可撓性を有するものであればよい。また、シート状部材１２は、本実施形態で採用している網の他、網目状部材や、透明なビニールシート等、透視性のある部材で構成されていることが好ましい。なお、透視性がある部材とは、シート状部材１２の一方の面を見たときにシート状部材１２の一方の面より向こう側が見える部材である。すなわち、シート状部材１２が網のように空隙が形成された部材であれば、シート状部材１２の一方の面を見たときにその空隙からシート状部材１２の一方の面より向こう側を見ることができる。また、透明な部材はシート状部材１２の向こう側が透けて見える。
【００３７】
芯部材２０は、プラスチック、鉄、カーボン等でできた棒状部材であり、第２方向に関してシート状部材１２の一端部から他端部まで延びている。図１に示すように、芯部材２０は、本体部１０をその軸方向が上下方向となるように配置した状態で、本体部１０の軸方向に直交する方向から見たときに本体部１０の上端部から他端部まで上下方向に延びている。芯部材２０は、被覆布２１に被覆された状態でシート状部材１２に縫い付けられている。また、芯部材２０の両端部は、パイピングテープ１３により上下方向に抜けないように係止されている。本実施形態においては、芯部材２０は、シート状部材１２の第１方向の両端部にそれぞれ取り付けられていると共に、第１方向の中間部に３本取り付けられている。すなわち、シート状部材１２には第１方向に関して互いに離隔するように合計５本の芯部材２０が取り付けられている。５本の芯部材２０は、略等間隔で取り付けられている。以下の説明において、５本の芯部材２０の個々を特定して説明する場合には、図２において最も右に位置する芯部材２０から順に、２０ａ、２０ｂ、２０ｃ、２０ｄ、２０ｅとする。
【００３８】
ここで、シート状部材１２の第１方向に沿う長さは１８００ｍｍであり、第２方向に沿う長さは９００ｍｍである。したがって、第１方向に関して互いに離隔して等間隔で配置された５本の芯部材２０の間隔は、４５０ｍｍである。すなわち、芯部材２０の間隔は、シート状部材１２（本体部１０）の第２方向に関する長さの１／２となっている。
【００３９】
面ファスナー１４のループ状布１４ａは、シート状部材１２の一方の面（図２の紙面と反対側の面）に配置されている。より詳細には、ループ状布１４ａは、芯部材２０ａの近傍、芯部材２０ｂの近傍、及び芯部材２０ｄの近傍にそれぞれ配置されている。芯部材２０ａ及び芯部材２０ｂの近傍においては、第２方向に並んで４つのループ状布１４ａがそれぞれ配置されている。第２方向において４つのループ状布１４ａはそれぞれ等間隔に並んでおり、両端のループ状布１４ａはシート状部材１２の第２方向の両端部に位置している。芯部材２０ｄの近傍においては、シート状部材１２の第２方向の両端部にそれぞれループ状布１４ａが配置されている。
【００４０】
ここで、図２において一点鎖線で示すように、芯部材２０ａの近傍で４つのループ状布１４ａが取り付けられている部分を含む芯部材２０の長手方向に延びる帯状領域を第２部分１２ｂとする。同様に、芯部材２０ｂの近傍で４つのループ状布１４ａが取り付けられている部分を含む芯部材２０の長手方向に延びる帯状領域を第２部分１２ｂとする。また、芯部材２０ｄの近傍で２つのループ状布１４ａが取り付けられている部分を含む芯部材２０の長手方向に延びる帯状領域を第３部分１２ｃとする。第２部分１２ｂ、第３部分１２ｃは、その少なくとも一部が芯部材２０と重なっている。
【００４１】
面ファスナー１４のフック状布１４ｂは、シート状部材１２の他方の面（図２の紙面側の面）に配置されている。つまり、面ファスナー１４のフック状布１４ｂは、シート状部材１２におけるループ状布１４ａが配置されている面とは反対側の面に配置されている。より詳細には、フック状布１４ｂは芯部材２０ｅの近傍に配置されている。芯部材２０ｅの近傍においては、第２方向に並んで４つのフック状布１４ｂが配置されている。４つのフック状布１４ｂはそれぞれ等間隔に並んでおり、両端のフック状布１４ｂはシート状部材１２の第２方向の両端部に位置している。ここで、図２において一点鎖線で示すように、芯部材２０ｅの近傍で４つのフック状布１４ｂが取り付けられている部分を含む芯部材２０の長手方向に延びる帯状領域を第１部分１２ａとする。第１部分１２ａは、その少なくとも一部が芯部材２０と重なっている。
【００４２】
ここで、シート状部材１２におけるループ状布１４ａが取り付けられた第２部分１２ｂと、フック状布１４ｂが取り付けられた第１部分１２ａとは、シート状部材１２において第１方向に関して互いに離隔している。面ファスナー１４は、ループ状布１４ａとフック状布１４ｂとを貼り合わせることで、シート状部材１２における第１部分１２ａと第２部分１２ｂとを結合させることができる。また、ループ状布１４ａとフック状布１４ｂとを引き剥がすことで、第１部分１２ａと第２部分１２ｂとを分離させることができる。
【００４３】
また、シート状部材１２におけるループ状布１４ａが取り付けられた第３部分１２ｃと、フック状布１４ｂが取り付けられた第１部分１２ａとは、シート状部材１２において第１方向に関して互いに離隔している。面ファスナー１４は、ループ状布１４ａとフック状布１４ｂとを貼り合わせることで、シート状部材１２における第１部分１２ａと第３部分１２ｃとを結合させることができる。また、ループ状布１４ａとフック状布１４ｂとを引き剥がすことで、第１部分１２ａと第３部分１２ｃとを分離させることができる。
【００４４】
面ファスナー１４のループ状布１４ａはシート状部材１２の一方の面に配置されており、フック状布１４ｂはシート状部材１２の他方の面に配置されている。よって、シート状部材１２から本体部１０を形成する際には、まずシート状部材１２の第１方向に関して芯部材２０ａが配置されている側の端部が内側、芯部材２０ｅが配置されている側の端部が外側となるようにしつつシート状部材１２を筒状に丸める。このとき、芯部材２０ａ及び芯部材２０ｂのいずれかの近傍に位置するループ状布１４ａが配置された第２部分１２ｂと、フック状布１４ｂが配置された第１部分１２ａとが合わさるようにする。そして、互いに対向するループ状布１４ａとフック状布１４ｂを貼り合わせる。
【００４５】
また、図３に示すようにシート状部材１２を棒状に巻回する際には、まずシート状部材１２の第１方向に関して芯部材２０ａが配置されている側の端部が内側、芯部材２０ｅが配置されている側の端部が外側となるようにしつつシート状部材１２を棒状に巻回する。このとき、芯部材２０ｄの近傍に位置するループ状布１４ａが配置された第３部分１２ｃと、芯部材２０ｅの近傍に位置するフック状布１４ｂが配置された第１部分１２ａとが対向する。そして、対向するループ状布１４ａとフック状布１４ｂを貼り合わせる。
【００４６】
上述のように、芯部材２０ａ又は芯部材２０ｂの近傍に配置されるループ状布１４ａと、芯部材２０ｅの近傍に配置されるフック状布１４ｂとは、シート状部材１２を筒状に丸めて本体部１０とする際に第１部分１２ａと第２部分１２ｂとを分離可能に結合する分離結合手段として機能する。芯部材２０ｄの近傍に配置されるループ状布１４ａと、芯部材２０ｅの近傍に配置されるフック状布１４ｂとは、シート状部材１２を棒状に巻回した際に貼り合わされ、シート状部材１２を巻回状態で巻き止めする巻止手段として機能する。すなわち、面ファスナー１４のフック状布１４ｂは、分離結合手段と巻止手段とで兼用されている。
【００４７】
ここで、本実施形態において、第２部分１２ｂは２つ設けられる。芯部材２０ａの近傍のループ状布１４ａが取り付けられる第２部分１２ｂと芯部材２０ｂの近傍のループ状布１４ａが取り付けられる第２部分１２ｂとは、第１方向に関して互いに離隔している。つまり、分離結合手段は、第１方向に関して互いに離隔する２つの第２部分１２ｂのいずれかと、第１部分１２ａとを結合する。ゴミ箱１は、本体部１０を形成する際に芯部材２０ａの近傍のループ状布１４ａを使用するか、芯部材２０ｂの近傍のループ状布１４ａを使用するかで、「大」又は「小」の２種類のサイズを取り得る。具体的には、本体部１０を形成する際に、芯部材２０ａの近傍に位置するループ状布１４ａと芯部材２０ｅの近傍に位置するフック状布１４ｂとを貼りあわせることで「大」サイズとすることができる。また、本体部１０を形成する際に、芯部材２０ｂの近傍に位置するループ状布１４ａと芯部材２０ｅの近傍に位置するフック状布１４ｂとを貼り合わせることで「小」サイズとすることができる。
【００４８】
以上、のように本実施形態のゴミ箱１は、可撓性を有する部材で構成されており、両端が開放された筒状に形成され、内側にゴミ袋２を装着可能に構成されたた本体部１０と、本体部１０に複数取り付けられており、本体部１０の一端部から他端部まで上下方向に延びる棒状の芯部材２０とを備えている。ゴミ箱１は、本体部１０が可撓性を有する部材で構成されているので、フォークリフトの爪等の何かと接触したとしても撓むのみで、傷や凹み等の損傷を受けにくい。また、本体部１０に棒状の芯部材２０が複数取り付けられているので、本体部１０は軸方向を上下方向とした状態で自立できる。したがって、筒状の本体部１０の内側にゴミ袋２を装着してゴミ箱として使用することができる。
【００４９】
また、本実施形態のゴミ箱１は、本体部１０の周方向に関する複数の芯部材２０の間隔は、本体部１０の軸方向に関する長さの１／２である。したがって、芯部材２０の間隔が本体部１０の軸方向に関する長さの１／２よりも大きい場合と比較して、本体部１０に取り付けられる芯部材２０の数が多くなる。そして、本体部１０を確実に自立させることができる。
【００５０】
さらに、本実施形態のゴミ箱１では、本体部１０は、可撓性を有するシート状部材１２で形成されている。シート状部材１２は、シート状部材１２において第１方向に関して互いに離隔する第１部分１２ａと第２部分１２ｂとにそれぞれ配置されたフック状布１４ｂとループ状布１４ａとからなる面ファスナー１４を備えている。面ファスナー１４は、シート状部材１２の第１部分１２ａと第２部分１２ｂとを分離及び結合することができる。そして、第１部分１２ａと第２部分１２ｂとが合わさるようにシート状部材１２を筒状に丸め、面ファスナー１４によってシート状部材１２の第１部分１２ａと第２部分１２ｂとを結合することによって本体部１０を形成する。したがって、本体部１０が可撓性を有するシート状部材１２で形成されているので、ゴミ箱として使用しないときにはシート状部材１２を平らに広げた状態で保管できる。または、本体部１０が可撓性を有するシート状部材１２で形成されているので、ゴミ箱として使用しないときには、シート状部材１２を小さく丸めて棒状に巻回した状態でゴミ箱を保管できる。よって、省スペースで保管できる。
【００５１】
加えて、本実施形態のゴミ箱１では、シート状部材１２を丸めて本体部１０を形成する際に、面ファスナー１４によって第１部分１２ａと結合され得る第２部分１２ｂが、第１方向に関して互いに離隔して２つ設けられている。したがって、第１方向に関して互いに離隔して設けられた２つの第２部分１２ｂのうちのいずれを選択するかによって、面ファスナー１４によって結合される位置が変更されて、ゴミ箱１の大きさを変更することができる。よって、ゴミの量やゴミ箱１の設置スペースの大きさに合わせてゴミ箱１の大きさを変更することが可能となる。
【００５２】
さらに、本実施形態のゴミ箱１では、シート状部材１２を筒状に丸めて本体部１０とする際に第１部分１２ａと第２部分１２ｂとを分離可能に結合する分離結合手段は、ループ状布１４ａ及びフック状布１４ｂからなる面ファスナー１４である。したがって、分離結合手段による第１部分１２ａと第２部分１２ｂとの結合／分離の作業が容易である。
【００５３】
また、本実施形態のゴミ箱１では、シート状部材１２において各ループ状布１４ａが取り付けられる第２部分１２ｂと、フック状布１４ｂが取り付けられる第１部分１２ａは、その少なくとも一部が芯部材２０と重なっている。したがって、芯部材２０が配置されている部分でシート状部材１２を結合することができるので、ゴミ箱１の強度を高めることができる。
【００５４】
また、本実施形態のゴミ箱１では、芯部材２０ｄの近傍に配置されたループ状布１４ａとフック状布１４ｂとで構成される面ファスナー１４を巻止手段とし、シート状部材１２を第２方向が軸方向となるように棒状に巻回した状態で巻き止めできる。このように、シート状部材１２を棒状に巻回した状態で巻き止めできるので、ゴミ箱１として使用しないときに、棒状にして保管できる。したがって、保管スペースの形状等に合わせて、シート状部材１２を平らに広げて保管するか、小さく丸めて棒状に巻回して保管するかを選択できる。また、分離結合手段の一部（フック状布１４ｂ）が、シート状部材１２を巻き止めする巻止手段の一部を兼ねている。そのため、分離結合手段と巻止手段とを別々に備える場合に比べてコストを低下させることができる。また、シート状部材１２が棒状に巻回した状態から開いてしまうことを抑制することができる。
【００５５】
また、本実施形態のゴミ箱１では、本体部１０を主に構成するシート状部材１２は、網である。すなわち、本体部１０を構成する部材は透視性を有しているので、外からゴミ箱１に投入されているゴミの内容や量を確認することができる。また、網のように空隙を有する部材を採用することで、ゴミ箱を軽量化できる。
【００５６】
加えて、本実施形態のゴミ箱１は、工場又は倉庫で使用されるものである。ゴミ箱１は本体部１０が可撓性を有する部材で構成されているので、工場や倉庫において走行するフォークリフトの爪が接触したとしても損傷しにくい。したがって、工場や倉庫で使用することが好適である。
【００５７】
以上、本発明の実施形態について図面に基づいて説明したが、具体的な構成は、これらの実施形態に限定されるものでないと考えられるべきである。本発明の範囲は、上記した実施形態の説明ではなく特許請求の範囲によって示され、さらに特許請求の範囲と均等の意味および範囲内でのすべての変更が含まれる。
【００５８】
例えば、上述の実施形態では、ループ状布１４ａ（芯部材２０ｄの近傍のもの）及びフック状布１４ｂとで構成される面ファスナー１４を巻止手段とし、シート状部材１２を第２方向が軸方向となるように棒状に巻回した状態で巻き止めできる場合について説明した。つまり、巻止手段の一部（フック状布１４ｂ）は、シート状部材１２を筒状に丸めて本体部１０とする際の分離結合手段の一部を兼ねている。しかしながら、巻止手段は、分離結合手段とは別に設けられていてもよいし、巻止手段自体設けられていなくてもよい。
【００５９】
ここで、図４を参照しつつ、上述の実施形態の第１変形例について説明する。なお、以下の説明においては、上述の実施形態と共通する各部位には同じ符号を付して説明する。図４に示すシート状部材１１２には、第１方向に関して芯部材２０ｅが配置されている側の一端部（図４中左側端）に、巻止手段である帯状部材１４０が取り付けられている。帯状部材１４０は、第２方向に関してシート状部材１１２の略中央部分において、その一端部がシート状部材１１２に取り付けられている。帯状部材１４０は、接着剤による接着や糸による縫い付けなどによりシート状部材１１２に取り付けられている。
【００６０】
帯状部材１４０のシート状部材１１２に取り付けられている側の端部（図４中右側端部）には、ループ状布１４１ａが取り付けられている。また、帯状部材１４０のループ状布１４１ａが取り付けられている側とは反対側の端部（図４中左側端部）には、フック状布１４１ｂが取り付けられている。ループ状布１４１ａは、帯状部材１４０の一方の面（図４の紙面と反対側の面）に取り付けられており、フック状布１４１ｂは、帯状部材１４０のループ状布１４１ａが取り付けられている面とは反対側の面（図４の紙面側の面）に取り付けられている。このループ状布１４１ａとフック状布１４１ｂとで、面ファスナー１４１を構成する。ループ状布１４１ａとフック状布１４１ｂの間の長さは、本変形例のシート状部材１１２を第２方向が軸方向となるように棒状に巻回した状態の外周面の長さとほぼ同じ長さである。
【００６１】
次に、本変形例のシート状部材１１２を第２方向が軸方向となるように棒状に巻回した状態で巻き止めする方法について説明する。まず、シート状部材１１２を、芯部材２０ａが配置されている側の端部が内側となり、芯部材２０ｅが配置されている側の端部が外側となるようにしつつ棒状に巻回する。そして、帯状部材１４０を棒状に巻回されたシート状部材１１２の外周面に巻き付け、ループ状布１４１ａとフック状布１４１ｂとを貼り合わせる。これにより、容易な構成で棒状に巻回されたシート状部材１１２を巻き止めできる。
【００６２】
また、上述の実施形態では、本体部１０はシート状部材１２に展開可能である場合について説明したが、本体部１０はシート状に展開できなくてもよい。つまり、本体部１０は、筒状部材で構成されてよい。なお、この場合、上述の実施形態のようにシート状部材１２を筒状に丸めて結合するための分離結合手段は備えないが、第１変形例のような分離結合手段とは別に設けられた巻止手段である帯状部材を備えていてもよい。この場合における帯状部材は、本体部１０の軸方向における中間部分であって、周方向のいずれかの位置に設けられる。これにより、ゴミ箱として使用しないときに、筒状の本体部１０を棒状に巻回して巻止手段で巻き止めすることができる。
【００６３】
さらに、上述の実施形態では、シート状部材１２から本体部１０を形成する際の分離結合手段としての面ファスナー１４が、芯部材２０ａ及び芯部材２０ｂの近傍に配置されるループ状布１４ａと、芯部材２０ｅの近傍に配置されるフック状布１４ｂとからなる場合について説明した。そして、本体部１０を形成する際にフック状布１４ｂと貼り合わせるループ状布１４ａとして、芯部材２０ａの近傍に位置するループ状布１４ａを使用するか、芯部材２０ｂの近傍に位置するループ状布１４ａを使用するかで、ゴミ箱１のサイズを２種類の間で変更できる。しかしながら、分離結合手段としての面ファスナー１４の構成はこれに限定されるものではない。
【００６４】
ここで、図５を参照しつつ、上述の実施形態の第２変形例について説明する。なお、以下の説明においては、上述の実施形態と共通する各部位には同じ符号を付して説明する。図５に示すように、本変形例のシート状部材２１２においては、面ファスナー２１４のループ状布２１４ａが第１方向に長尺な帯状である。より詳細には、ループ状布２１４ａは、シート状部材２１２の一方の面（図５の紙面とは反対側の面）において第１方向の一端部から他端部まで延びている。また、ループ状布２１４ａは、シート状部材２１２の第２方向に並んで４つ等間隔で配置されている。面ファスナー２１４のフック状布２１４ｂは、上述の実施形態のフック状布１４ｂと同様であり、ループ状布２１４ａが配置されている面とは反対側の面（図５の紙面側の面）における芯部材２０ｅの近傍に配置されている。
【００６５】
第２変形例にかかるシート状部材２１２を筒状に丸めて本体部１０を形成する際には、フック状布２１４ｂをループ状布２１４ａのどの部分に貼り合わせるかで、ゴミ箱１の大きさ自由に変更できる。本変形例においては、芯部材２０ｅの近傍で４つのフック状布２１４ｂが取り付けられている部分を含む第２方向に延びる帯状領域が第１部分１２ａとなる。そして、本体部１０を形成する際にシート状部材２１２を筒状に丸めたときに第１部分１２ａと対向する部分が第２部分（図示せず）となる。
【００６６】
なお、第２変形例のループ状布２１４ａ及びフック状布２１４ｂの形状は上記のものに限定されるものではない。すなわち、第２変形例においては、ループ状布２１４ａが帯状でありフック状布２１４ｂが芯部材２０ｅの近傍に配置されていたが、ループ状布が芯部材２０ａの近傍に配置されており、フック状布が帯状であってもよい。また、第２変形例においては、帯状のループ状布２１４ａはシート状部材２１２における第１方向の一端部から他端部まで延びているが、ループ状布２１４ａの配置領域囲はこれには限定されない。例えば、ループ状布２１４ａは、シート状部材２１２において第１方向に芯部材２０ａの近傍から芯部材２０ｂの近傍まで延びていてもよい。
【００６７】
加えて、上述の実施形態では、芯部材２０ａ及び芯部材２０ｂの近傍に配置されたループ状布１４ａと、芯部材２０ｅの近傍に配置されたフック状布１４ｂとは、第２方向に４つ並んで等間隔で配置されている場合について説明したが、これには限定されない。ループ状布１４ａ及びフック状布１４ｂは、少なくともシート状部材１２における第２方向の両端部に２つずつ配置されていることが好ましいが、３つでもよいし、５つ以上でもよい。
【００６８】
また、上述の実施形態では、シート状部材１２の形状が長方形である場合について説明したが、これには限定されない。ここで、図６を参照しつつ、上述の実施形態の第３変形例について説明する。なお、以下の説明においては、上述の実施形態と共通する各部位には同じ符号を付して説明する。図６（ａ）に示す第３変形例にかかるシート状部材３１２は、扇形である。上述の実施形態と同様に、シート状部材３１２には５本の芯部材２０ａ、２０ｂ、２０ｃ、２０ｄ、２０ｅが等間隔で取り付けられている。また、分離結合手段として機能する面ファスナー１４のループ状布１４ａは芯部材２０ａ、２０ｂの近傍に配置されており、フック状布１４ｂは芯部材２０ｅの近傍に配置されている。ゴミ箱として使用するときは、ループ状布１４ａが配置された第２部分１２ｂと、フック状布１４ｂが配置された第１部分１２ａとが合わさるように、シート状部材３１２を筒状に丸める。そして、対向するループ状布１４ａとフック状布１４ｂとを貼り合わせることで、図６（ｂ）に示すような逆円錐台形状のゴミ箱３０１となる。
【００６９】
また、上述の実施形態では、本体部１０の周方向に関する複数の芯部材２０の間隔が本体部１０の軸方向に関する長さの１／２である場合について説明したが、芯部材２０の間隔はこれに限定されるものではない。芯部材２０の間隔は本体部１０の軸方向に関する長さの１／２以下であることが好ましいが、２／３以下であってもよく、２／３よりも大きくてもよい。
【００７０】
さらに、上述の実施形態では、シート状部材１２を丸めて本体部１０を形成する際に、面ファスナー１４によって第１部分１２ａと結合され得る第２部分１２ｂが、第１方向に関して互いに離隔して２つ設けられている場合について説明したが、これに限定されるものではない。第２部分１２ｂは、第１方向に関して互いに離隔して３つ以上設けられていてもよし、第１方向に関して１か所のみに設けられていてもよい。また、第１部分１２ａが第１方向に離隔して複数設けられていてもよい。
【００７１】
加えて、上述の実施形態では、シート状部材１２を筒状に丸めて本体部１０とする際の分離結合手段が面ファスナー１４である場合について説明したが、分離結合手段はこれには限定されない。すなわち例えば、分離結合手段としてスナップボタンやクリップなどを使用してもよい。
【００７２】
さらに、上述の実施形態では、ループ状布１４ａが配置される第２部分１２ｂ、第３部分１２ｃと、フック状布１４ｂが配置される第１部分１２ａとの少なくとも一部が芯部材２０と重なっている場合について説明したが、これには限定されない。すなわち、第１部分１２ａ、第２部分１２ｂ及び第３部分１２ｃは、芯部材２０が配置される部分とは別の部分であってもよい。
【００７３】
また、本発明のゴミ箱は、工場又は倉庫で使用されものに限定されるものではない。本発明のゴミ箱は、シート状に展開した状態や棒状に丸めた状態とすることにより省スペースで保管することができる。したがって、災害等の非常時に使用するゴミ箱として避難所に備蓄しておくことも有用である。
【産業上の利用可能性】
【００７４】
本発明を利用すれば、内側にゴミ袋を装着可能に構成されたゴミを投入するためのゴミ箱であって、損傷しにくいゴミ箱を提供することができる。
【符号の説明】
【００７５】
１、３０１  ゴミ箱
１０  本体部
１２  シート状部材
１２ａ  第１部分
１２ｂ  第２部分
１２ｃ  第３部分
１４  面ファスナー（分離結合手段）
１４ａ  ループ状布
１４ｂ  フック状布
２０  芯部材
１４０  帯状部材（巻止手段）
【図１】
2019127352.tif 000003
【図２】
2019127352.tif 000004
【図３】
2019127352.tif 000005
【図４】
2019127352.tif 000006
【図５】
2019127352.tif 000007
【図６】
2019127352.tif 000008